(57)【要約】      （修正有）【課題】虫の捕獲能力を向上し得る捕虫器及び捕虫方法を提供する。【解決手段】虫を誘引する誘引手段２０と、前記虫を捕えるための接着剤層が形成された捕虫シートＡＳを前記誘引手段の近傍に配置可能な支持手段３０と、を備え、前記支持手段は、前記虫に対する寄せ集め効果の高い前記誘引手段を当該虫の移動帯に配置可能に設けられている。【選択図】図１
2014150735.tif 000002
【特許請求の範囲】
【請求項１】
虫を誘引する誘引手段と、
前記虫を捕えるための接着剤層が形成された捕虫シートを前記誘引手段の近傍に配置可能な支持手段と、を備え、
前記支持手段は、前記虫に対する寄せ集め効果の高い前記誘引手段を当該虫の移動帯に配置可能に設けられていることを特徴とする捕虫器。
【請求項２】
虫に対する寄せ集め効果の高い誘引手段を当該虫の移動帯に配置する工程と、
前記虫を捕えるための接着剤層が形成された捕虫シートを前記誘引手段の近傍に配置する工程と、を行うことを特徴とする捕虫方法。
【発明の詳細な説明】
【技術分野】
【０００１】
本発明は、虫を捕獲する捕虫器及び捕虫方法に関する。
【背景技術】
【０００２】
従来より、食品の加工を行う施設や精密機器を製造する施設等において、製品に虫が付着するなどして品質が低下することを防ぐために、当該施設内に侵入した虫を捕獲する捕虫器が提案されている。また近年、虫を誘引するための誘引源として発光ダイオード（以下「ＬＥＤ」という）などの発光源を用いた捕虫器も、開示されている（特許文献１等参照）。ＬＥＤが発光する光の波長は、単波長または単波長に近いので、不要な光を含まない特性がある。
【先行技術文献】
【特許文献】
【０００３】
【特許文献１】特開２００８−１７３０３５号公報
【発明の概要】
【発明が解決しようとする課題】
【０００４】
しかしながら、従来の捕虫器では、たとえ捕獲しようとする虫が好む誘引源を採用したとしても、捕虫器を設置する条件、特に捕虫器を設置する設置面（以下「床」という）からの高さによって、虫を捕獲する能力が向上しない場合がある。即ち、施設内の床付近の低層を飛来したり、床や床付近の壁等の低所を伝って移動したりする習性のある虫、飛行能力の低い虫、飛行しない虫等（以下それらを併せて「低層移動虫」という）に対する寄せ集め効果の高い誘引手段を、床から遠い位置（高い位置）に配置した場合や、逆に、施設内の天井付近の高層を飛来したり、天井や天井付近の壁等の高所を伝って移動したりする習性のある虫、飛行能力の高い虫等（以下それらを併せて「高層移動虫」という）に対する寄せ集め効果の高い誘引手段を、床付近（低い位置）に配置した場合、虫を捕獲する能力は向上しない。
【０００５】
本発明の目的は、虫の捕獲能力を向上し得る捕虫器及び捕虫方法を提案することである。
【課題を解決するための手段】
【０００６】
このような目的を達成するために、本発明に係る捕虫器は、
虫を誘引する誘引手段と、
前記虫を捕えるための接着剤層が形成された捕虫シートを前記誘引手段の近傍に配置可能な支持手段と、を備え、
前記支持手段は、前記虫に対する寄せ集め効果の高い前記誘引手段を当該虫の移動帯に配置可能に設けられていることを特徴とする。
【０００７】
また、例えば、前記誘引手段は、所定の波長の光を発光可能な発光手段を備えても良い。
【０００８】
また、例えば、前記誘引手段は、所定の物質を放出する放出手段であっても良い。
【０００９】
また、例えば、前記誘引手段は、所定の音を発する発信手段であっても良い。
【００１０】
また、例えば、前記誘引手段は、発光手段と放出手段と発信手段との任意な組み合わせであっても良い。
【００１１】
また、発光手段は、ＬＥＤ、蛍光灯、メタルハライドランプ、キセノンランプ、高圧（低圧）水銀ランプ、ハロゲンランプのうちの１または、少なくとも１を含んでも良い。
【００１２】
また、本発明に係る捕虫方法は、
虫に対する寄せ集め効果の高い誘引手段を当該虫の移動帯に配置する工程と、
前記虫を捕えるための接着剤層が形成された捕虫シートを前記誘引手段の近傍に配置する工程と、を行うことを特徴とする。
【発明の効果】
【００１３】
本発明に係る捕虫器によれば、支持手段が虫に対する寄せ集め効果の高い誘引手段を当該虫の移動帯に配置可能に設けられているので、例えば、低層移動虫に対する寄せ集め効果の高い誘引手段を施設内の低層に配置することで、当該低層移動虫の捕獲能力を向上し得ることが可能となる。また、施設内の中層を飛来したり、中層の壁を伝って移動したりする習性のある虫、飛び跳ねる習性のある虫等（以下「中層移動虫」という）に対する寄せ集め効果の高い誘引手段を施設内の中層に配置したり、高層移動虫に対する寄せ集め効果の高い誘引手段を施設内の高層に配置したりすることで、中層移動虫や高層移動虫の捕獲能力を向上し得ることが可能となる。
ここで、移動帯とは、羽や足の形状、羽や足を動かす筋肉の大きさ、体重、餌となるものの高さ位置、習性、行動パターン、運動能力等により、虫の日常活動において、当該虫が主に（好んで）移動する領域とする。
また、誘引手段を、所定の波長の光を発光可能な発光手段としたり、所定の物質を放出する放出手段としたり、所定の音を発する発信手段としたり、発光手段と放出手段と発信手段との任意な組み合わせとしたりすることにより、捕獲の対象である虫に適切に対応した誘引効果を奏することができる。
さらに、発光手段をＬＥＤ、蛍光灯、メタルハライドランプ、キセノンランプ、高圧（低圧）水銀ランプ、ハロゲンランプのうちの１または、少なくとも１を含んで構成することで、捕虫器の汎用性が拡大する。
【図面の簡単な説明】
【００１４】
【図１】（Ａ）は、実施形態に係る捕虫器の部分断面側面図、（Ｂ）は、（Ａ）の正面図。
【図２】（Ａ）は、図１の捕虫器の断面平面図、（Ｂ）は（Ａ）の一部を表す断面平面図。
【発明を実施するための形態】
【００１５】
以下、本発明の一実施形態に係る捕虫器１０を説明する。
なお、本明細書におけるＸ軸、Ｙ軸、Ｚ軸は、それぞれが直交する関係にあり、Ｘ軸及びＹ軸は、水平面内の軸とし、Ｚ軸は、水平面に直交する軸とする。さらに、本実施形態では、Ｙ軸と平行な図１（Ａ）の手前方向から観た場合を基準とし、方向を示した場合、「上」がＺ軸の矢印方向で「下」がその逆方向、「左」がＸ軸の矢印方向で「右」がその逆方向、「前」がＹ軸の紙面に直交する手前方向、「後」がその逆方向とする。
【００１６】
捕虫器１０は、虫を誘引する誘引手段２０と、虫を捕らえるための接着剤層ＡＤが形成された捕虫シートＡＳ（図２（Ａ）参照）を誘引手段２０の近傍に配置可能な支持手段３０とを備えている。なお、捕虫シートＡＳは、基材シートＢＳの一方の面に接着剤層ＡＤが積層され、当該接着剤層ＡＤ上に剥離シートＲＬが仮着されて原反ＲＳを形成する。
【００１７】
誘引手段２０は、一端側（図１（Ｂ）左端側）にメス端子２１（図２（Ｂ）参照）が設けられたパネル２２（２２ａ〜２２ｅ）と、各パネル２２ａ〜２２ｅに支持され、所定の波長の光を発光可能な発光手段としてのＬＥＤ２３（２３ａ〜２３ｅ）とを備え、各パネル２２ａ〜２２ｅに設けられたメス端子２１を介して各ＬＥＤ２３ａ〜２３ｅに電力が供給可能に設けられている。各ＬＥＤ２３ａ〜２３ｅは、各パネル２２ａ〜２２ｅの両面に設けられ、各ＬＥＤ２３ａ〜２３ｅは、各パネル２２ａ〜２２ｅ毎に同じ波長の光を発光可能に設けられ、各パネル２２ａ〜２２ｅ毎に発光する各ＬＥＤ２３ａ〜２３ｅの光の波長は異なっている。
【００１８】
支持手段３０は、左右両側に開口部３１Ａを備えるとともに、下部に脚部材３１Ｂが設けられたフレーム３１と、フレーム３１内に設けられ、巻回された原反ＲＳを回転可能に支持する支持軸３２と、捕虫シートＡＳが掛け回される複数のガイドローラ３３と、剥離シートＲＬが掛け回される複数のガイドローラ３４と、捕虫シートＡＳと剥離シートＲＬとを再仮着することでそれらを使用済み原反ＲＳ１として巻き取る巻取軸３５と、巻取軸３５を回転可能な回転ハンドル３６と、パネル２２をスライド挿入して保持可能な溝レール３７（３７ａ〜３７ｆ）とを備え、各ガイドローラ３３に掛け回された捕虫シートＡＳの接着剤層ＡＤが各開口部３１Ａを介してフレーム３１の外側に露出するように掛け回し可能に設けられている。各レール３７ａ〜３７ｆは、図１（Ａ）に示すように、発光手段２０の発光領域を移動帯ＤＡ〜ＤＥの５つの領域に区分けするようになっている。本実施形態の場合、移動帯ＤＥの下端高さが床ＥＴから２５０ｍｍとされ、各移動帯ＤＡ〜ＤＥの高さがそれぞれ２５０ｍｍに設定され、移動帯ＤＡの上端高さが床ＥＴから１５００ｍｍとなっている。なお、フレーム３１の前壁３１Ｃの内側には、各溝レール３７ａ〜３７ｆにスライド挿入されたパネル２２のメス端子２１に嵌合可能に設けられるとともに、図示しない配線を介して電力を供給可能なオス端子３８が各溝レール３７ａ〜３７ｆに対応してそれぞれ設けられている。また、フレーム３１の後壁３１Ｄには、各移動帯ＤＡ〜ＤＥに対応して蝶番３９（３９ａ〜３９ｅ）を介して開閉可能に設けられ、パネル２２を挿抜可能な開閉扉４０（４０ａ〜４０ｅ）が設けられている（図２（Ａ）参照）。
【００１９】
以下、捕虫器１０の使用方法を、実施例に基づき説明する。
まず、図２（Ａ）に示すように、各開閉扉４０ａ〜４０ｅを開き、各溝レール３７ａ〜３７ｆを介して各移動帯ＤＡ〜ＤＥにパネル２２ａ〜２２ｅをそれぞれ配置すると、各パネル２２ａ〜２２ｅのメス端子２１がそれぞれオス端子３８に嵌合するので、当該嵌合を確認後、各開閉扉４０ａ〜４０ｅを閉める。
ここで、捕獲の対象となる虫は、移動帯がその種類によって概ね異なる。よって、本実施形態の場合、虫の移動帯を５の移動帯ＤＡ〜ＤＥに区分けし、各移動帯ＤＡ〜ＤＥを移動帯とする虫に合わせて、それらの虫の誘引効果の高いＬＥＤ２３を有するパネル２２を配置するようになっている。
【００２０】
即ち、一例を挙げると、移動帯ＤＡに配置されるパネル２２ａのＬＥＤ２３ａは、高層移動虫を寄せ集める効果の高い波長（例えば３５０ｎｍ）の光を発光可能なものとすることができる。
また、移動帯ＤＢ〜ＤＤに配置される各パネル２２ｂ〜２２ｄの各ＬＥＤ２３ｂ〜２２ｄは、中層移動虫を寄せ集める効果の高い波長の光を発光可能なものとすることができる。その中でも、移動帯ＤＢに配置されるパネル２２ｂのＬＥＤ２３ｂは、同じ中層移動虫でも、比較的高所を移動帯とする虫を寄せ集める効果の高い波長（例えば３７０ｎｍ）の光を発光可能なものとすることができ、移動帯ＤＤに配置されるパネル２２ｄのＬＥＤ２３ｄは、同じ中層移動虫でも、比較的低所を移動帯とする虫を寄せ集める効果の高い波長（例えば３２０ｎｍ）の光を発光可能なものとすることができ、その中間の移動帯ＤＣに配置されるパネル２２ｃのＬＥＤ２３ｃは、移動帯ＤＢとＤＤとの間を移動帯とする虫を寄せ集める効果の高い波長（例えば４００ｎｍ）の光を発光可能なものとすることができる。
更に、移動帯ＤＥに配置されるパネル２２ｅのＬＥＤ２３ｅは、低層移動虫を寄せ集める効果の高い波長（例えば３００ｎｍ）の光を発光可能なものとすることができる。
なお、上述の波長の例は、必ずしも各移動帯ＤＡ〜ＤＥを移動帯とする虫に対して寄せ集め効果が高いとは限らず、例えば、高層移動虫に対して寄せ集め効果が高いとした３５０ｎｍの波長の光が低層移動虫に対して寄せ集め効果が高い場合もある。よって、各移動帯ＤＡ〜ＤＥに配置するＬＥＤ２３の波長の選択は任意であり、当該捕虫器１０の使用者の経験値で選択してもよいし、統計的なデータを基に選択してもよい。
【００２１】
次に、原反ＲＳを支持軸３２にセットし、図１に示すように、基材シートＢＳおよび剥離シートＲＬを各ガイドローラ３３、３４を経由させ、その先端を再仮着して巻取軸３５に取り付ける。これにより、捕虫シートＡＳが各ＬＥＤ２３ａ〜２３ｅの近傍に配置される。その後、図示しない配線を介して電力が供給されると、各ＬＥＤ２３ａ〜２３ｅが発光し、当該光が捕虫シートＡＳを透過し、左右両側の開口部３１Ａから照射される。これにより、各ＬＥＤ２３ａ〜２３ｅによって誘引された虫は、フレーム３１の開口部３１Ａを通って誘引手段２０へ接近しようとした際に、捕虫シートＡＳの接着剤層ＡＤに付着することにより捕獲される。このとき、虫の移動帯を移動帯ＤＡ〜ＤＥの５に区分けして誘引手段２０を配置しているので、虫は習性のまま日常の移動帯を移動し、好みのＬＥＤ２３の発光する光に吸い寄せられるように近付き、接着剤層ＡＤによって捕獲される。
【００２２】
なお、捕虫シートＡＳである程度の虫を捕獲したり、所定の時間が経過したりすると、回転ハンドル３６を回して虫が付着した捕虫シートＡＳ部分を巻き取ると同時に、原反ＲＳから新たな捕虫シートＡＳ部分を繰り出すことができる。
【００２３】
以上のような実施形態及び実施例によれば、支持手段３０が虫に対する寄せ集め効果の高い誘引手段２０を当該虫の移動帯ＤＡ〜ＤＥに配置可能に設けられているので、捕獲対象となる虫を効果的に捕獲することができる。
【００２４】
以上、本発明の実施形態を説明してきたが、本発明は上述した実施形態に何等限定されるものではなく、本発明の要旨を逸脱しない範囲内において種々なる態様で実施し得ることは勿論である。
例えば、誘引手段は、所定の物質を放出する揮発成分含有物質若しくは二酸化炭素等の気体を発生する気体発生装置などの放出手段や、所定の音を発するスピーカーや振動部材等の発信手段であっても良い。
また、放出手段は、揮発成分含有物質及びこれを加熱するヒータによって構成されていても良い。
さらに、誘引手段は、発光手段と放出手段と発信手段とを任意に組み合わせたものであっても良く、また複数の誘引手段を用いる場合は、捕獲する虫の移動帯に応じて、配置する高さが調整されることが好ましい。
【００２５】
また、フレーム３１内に図示しないバッテリーを設け、誘引手段に電力を供給してもよいし、外部電源から電力を供給してもよい。
さらに、巻取軸３５を回転可能な回動モータやエアシリンダ等の駆動機器を採用してもよい。
また、捕虫器１０の構成は特に限定されることはなく、脚部材３１Ｂをなくして開口部３１Ａをフレーム３１の最下部にまで広げ、床ＥＴ付近を飛来する虫や、床ＥＴを這う虫を捕獲の対象としてもよいし、フレーム３１を天井に届く高さとし、開口部３１Ａをフレーム３１の最上部にまで広げ、施設の天井付近を飛来する虫や、天井を伝う虫を捕獲の対象としてもよい。なお、フレーム３１を施設の天井に届く高さとした場合、支持軸３２や巻取軸３５を人の手が届く位置に変更することができる。
さらに、発光手段は、蛍光灯、メタルハライドランプ、キセノンランプ、高圧（低圧）水銀ランプ、ハロゲンランプ等を採用することが可能であり、また、これらを組み合わせて使用しても良い。
また、溝レール３７の数を増減させて虫の移動帯を２以上４以下に区分けしてもよいし、６以上に区分けしてもよい。
さらに、各移動帯の上下方向の高さは２５０ｍｍ以上でも以下でもよく、任意に決定でき、全て同じ高さとしてもよいし、一部または全部違う高さとしてもよい。
また、扉４０は、各移動帯の数に合わせることなく１でもよいし、複数でもよい。
さらに、複数の移動帯ＤＡ〜ＤＥに同じ光を発光する誘引手段を配置してもよいし、１のパネル２２の中に違う波長の光を発光する発光手段を配置してもよい。１のパネル２２の中に違う波長の光を発光する発光手段を配置した場合、例えば、切り替えスイッチ等の切り替え手段によって、１のパネル２２の中で発光するＬＥＤ２３を選択できるようにすることもできる。これらの条件は、放出手段や発信手段でも同様である。
また、基材シートＢＳ、接着剤層ＡＤは、透明でもよいし、半透明でもよく、光や放出物、音を透過可能であれば足りる。
【００２６】
また、本発明における捕虫シートＡＳの材質、種別、形状等は、特に限定されることはない。例えば、捕虫シートＡＳは、感圧接着性、感熱接着性等の接着形態に限定されることはなく、感熱接着性の捕虫シートＡＳが採用された場合は、当該捕虫シートを加熱する適宜な加熱手段を設ければよい。また、このような捕虫シートは、例えば、接着剤層だけの単層のもの、基材シートと接着剤層との間に中間層を有するもの、基材シートの上面にカバー層を有する等３層以上のもの、更には、基材シートを接着剤層から剥離することのできる所謂両面接着シートのようなものであってもよく、両面接着シートは、単層又は複層の中間層を有するものや、中間層のない単層又は複層のものであってよい。
【符号の説明】
【００２７】
１０…捕虫器
２０…誘引手段
３０…支持手段
ＡＤ…接着剤層
ＡＳ…捕虫シート
ＤＡ〜ＤＥ…移動帯
【図１】
2014150735.tif 000003
【図２】
2014150735.tif 000004